(57)【要約】【課題】縦の木目模様を印刷した化粧シート３１を使うことによりパネルドア１０の製造コストを抑制するとともに、その意匠の多様化を可能にしたパネルドア１０の製造方法及びパネルドア１０を提供すること。【課題を解決するための手段】枠芯２０の表面に縦木目柄Ｓ字形片１１と２枚の横木目柄片１２，１３を、Ｓ字形片１１のＳ字形辺１１ａの上半分に凸湾曲辺１２ａを有する横木目柄片１２が隣接し、Ｓ字形辺の下半分に凹湾曲辺１３ａを有する横木目柄片１３が隣接するように張り付け、枠芯２０の裏面に縦木目柄逆Ｓ字形片１６と２枚の横木目柄片１７，１８を、逆Ｓ字形片１６の逆Ｓ字形辺１６ａの上半分に凸湾曲辺１７ａを有する横木目柄片１７が隣接し、逆Ｓ字形辺１７ａの下半分に凹湾曲辺１８ａを有する横木目柄片１８が隣接するように張り付けてパネルドア１０を構成する。【選択図】図１
2006070602.tif 000002
【特許請求の範囲】
【請求項１】
縦長長方形の基材表面に、縦方向に沿って木目柄を印刷した化粧シートを貼着して成るパネル材にその縦中心線に沿った直線カットラインを形成して該パネル材を長方形の縦長パネル片対に二分割するとともに、一方の縦長パネル片に縦方向に走るＳ字形カットラインを形成し、かつ他方の縦長パネル片に縦方向に走る逆Ｓ字形カットラインを形成して前記パネル材から２枚の縦木目柄Ｓ字形片と２枚の縦木目柄逆Ｓ字形片を木取りする第１工程と、前記パネル材にその横中心線に沿った直線カットラインを形成して該パネル材を長方形の横長パネル片対に二分割するとともに、各横長パネル片に一本の円弧形カットラインを形成して前記パネル材から２枚の凸湾曲辺を有する横木目柄片と２枚の凹湾曲横木目柄片を木取りする第２工程と、ドア用枠芯の少なくとも一面に一枚の前記縦木目柄Ｓ字形片を張り付けると共に、該Ｓ字形片のＳ字辺の上半分に前記横木目柄片の凸湾曲円弧辺が隣接し、かつＳ字形片のＳ字辺の下半分に前記横木柄目片の凹湾曲円弧辺が隣接するように２枚の横木目柄片を前記ドア用枠芯に張り付けて一枚のパネルドアを構成する第３工程から成ることを特徴とするパネルドアの製造方法。
【請求項２】
前記ドア用枠芯の他面に一枚の前記縦木目柄逆Ｓ字形片を張り付けると共に、該縦木目柄逆Ｓ字形片のＳ字辺の上半分に前記横木目柄片の凸湾曲円弧辺が隣接し、かつ縦木目柄逆Ｓ字形片のＳ字辺の下半分に前記横木柄目片の凹湾曲円弧辺が隣接するように２枚の横木目柄片を前記ドア用枠芯に張り付けることを特徴とする請求項１に記載のパネルドアの製造方法。
【請求項３】
縦長長方形の基材表面に、縦方向に沿って木目柄を印刷した化粧シートを貼着して成るパネル材にその縦中心線に沿った直線カットラインを形成して該パネル材を長方形の縦長パネル片対に二分割するとともに、一方の縦長パネル片に縦方向に走るＳ字形カットラインを形成し、かつ他方の縦長パネル片に縦方向に走る逆Ｓ字形カットラインを形成して木取りした２枚の縦木目柄Ｓ字形片と２枚の縦木目柄逆Ｓ字形辺のうちの一枚の縦木目柄Ｓ字形片と、前記パネル材にその横中心線に沿った直線カットラインを形成して該パネル材を長方形の横長パネル片対に二分割するとともに、各横長パネル片に一本の円弧形カットラインを形成して木取りした凸湾曲円弧辺を有する２枚の横木目柄片と凹湾曲円弧辺を有する２枚の横木目柄片のうちの各１枚の凸湾曲円弧辺を有する横木目柄片と、凹湾曲円弧辺を有する横木目柄片を備え、ドア用枠芯の少なくとも一面に一枚の前記縦木目柄Ｓ字形片を張り付けると共に、該縦木目柄Ｓ字形片のＳ字辺の上半分に前記横木目柄片の凸湾曲円弧辺が隣接し、かつＳ字片のＳ字辺の下半分に前記横木柄目片の凹湾曲円弧辺が隣接するように２枚の横木目柄片を前記ドア用枠芯に張り付けたことを特徴とするパネルドア。
【発明の詳細な説明】
【技術分野】
【０００１】
本発明は、パネルドアの製造方法及びパネルドアに関する。
【背景技術】
【０００２】
一般に、パネルドアは枠材を長方形に組み立てたドア用枠芯の表裏両面にパネル材を張り付けて構成される。このパネル材は合板、単板等の基材の表面に木目模様等の各種模様を印刷した化粧シートを貼着して構成されている。
【特許文献１】なし
【発明の開示】
【発明が解決しようとする課題】
【０００３】
パネルドア表面の模様は、その種類が多いほど顧客の多様な要望に答えることができるので、好ましい。しかしながら、模様の種類が多くなれば、パネルドアの製造コストが高くなる。
ところで、木目模様のパネルドアに使用される化粧シートの種類としては縦の木目模様を印刷したものが多種類市場に供され、横の木目模様の種類は縦に比べて少ない。そのため、木目模様のパネルドアの意匠は多様性が制限され、顧客の要望を十分に満たすことができない。
【０００４】
本発明はかかる問題点に鑑み、縦の木目模様を印刷した化粧シートを使うことによりパネルドアの製造コストを抑制するとともに、その意匠の多様化を可能にしたパネルドアの製造方法及びパネルドアを提供することを目的とする。
【課題を解決するための手段】
【０００５】
請求項１に記載の発明は、パネルドアの製造方法であって、縦長長方形の基材表面に、縦方向に沿って木目柄を印刷した化粧シートを貼着して成るパネル材にその縦中心線に沿った直線カットラインを形成して該パネル材を長方形の縦長パネル片対に二分割するとともに、一方の縦長パネル片に縦方向に走るＳ字形カットラインを形成し、かつ他方の縦長パネル片に縦方向に走る逆Ｓ字形カットラインを形成して前記パネル材から２枚の縦木目柄Ｓ字形片と２枚の縦木目柄逆Ｓ字形片を木取りする第１工程と、前記パネル材にその横中心線に沿った直線カットラインを形成して該パネル材を長方形の横長パネル片対に二分割するとともに、各横長パネル片に一本の円弧形カットラインを形成して前記パネル材から２枚の凸湾曲辺を有する横木目柄片と２枚の凹湾曲横木目柄片を木取りする第２工程と、ドア用枠芯の少なくとも一面に一枚の前記縦木目柄Ｓ字形片を張り付けると共に、該Ｓ字形片のＳ字辺の上半分に前記横木目柄片の凸湾曲円弧辺が隣接し、かつＳ字形片のＳ字辺の下半分に前記横木柄目片の凹湾曲円弧辺が隣接するように２枚の横木目柄片を前記ドア用枠芯に張り付けて一枚のパネルドアを構成する第３工程から成ることを特徴とする。
そして、好ましくは、ドア用枠芯の他面に一枚の前記縦木目柄逆Ｓ字形片を張り付けると共に、該縦木目柄逆Ｓ字形片のＳ字辺の上半分に前記横木目柄片の凸湾曲円弧辺が隣接し、かつ縦木目柄逆Ｓ字形片のＳ字辺の下半分に前記横木柄目片の凹湾曲円弧辺が隣接するように２枚の横木目柄片を前記ドア用枠芯に張り付ける。
請求項３に記載の発明は、パネルドアであって、縦長長方形の基材表面に、縦方向に沿って木目柄を印刷した化粧シートを貼着して成るパネル材にその縦中心線に沿った直線カットラインを形成して該パネル材を長方形の縦長パネル片対に二分割するとともに、一方の縦長パネル片に縦方向に走るＳ字形カットラインを形成し、かつ他方の縦長パネル片に縦方向に走る逆Ｓ字形カットラインを形成して木取りした２枚の縦木目柄Ｓ字形片と２枚の縦木目柄逆Ｓ字形辺のうちの一枚の縦木目柄Ｓ字形片と、前記パネル材にその横中心線に沿った直線カットラインを形成して該パネル材を長方形の横長パネル片対に二分割するとともに、各横長パネル片に一本の円弧形カットラインを形成して木取りした凸湾曲円弧辺を有する２枚の横木目柄片と凹湾曲円弧辺を有する２枚の横木目柄片のうちの各１枚の凸湾曲円弧辺を有する横木目柄片と、凹湾曲円弧辺を有する横木目柄片を備え、ドア用枠芯の少なくとも一面に一枚の前記縦木目柄Ｓ字形片を張り付けると共に、該縦木目柄Ｓ字形片のＳ字辺の上半分に前記横木目柄片の凸湾曲円弧辺が隣接し、かつＳ字片のＳ字辺の下半分に前記横木柄目片の凹湾曲円弧辺が隣接するように２枚の横木目柄片を前記ドア用枠芯に張り付けたことを特徴とする。
【発明の効果】
【０００６】
本発明に係るパネルドアの製造方法及びパネルドアによれば、第１工程において、縦木目模様を表面に形成した１枚のパネル材から４枚の縦木目柄Ｓ字形片を木取りし、第２工程において、一枚のパネル材から凸湾曲円弧辺を有する２枚の横木目柄片と凹湾曲円弧辺を有する２枚の横木目柄片を木取りし、第３工程において、ドア用枠芯の一面（表面又は裏面）に一枚のＳ字形片と凸湾曲円弧辺を有する横木目柄片及び凹湾曲円弧辺を有する横木目柄片を張り付けてパネルドアの一面を構成する。パネル材から木取りした残余のＳ字形片もしくは逆Ｓ字形片と横木目柄片は、パネルドアの他の面（裏面叉は表面）に張り付けたり、他のパネルドアの一面に張り付けて使用する。
本発明によれば、パネルドアに縦木目柄とＳ字ライン及び横木目柄からなる変化に富んだ意匠を付与でき、パネルドアの商品性を高めることができる。パネルドアの意匠を縦木目柄のパネル材を使って形成するので、新たに横木目柄のパネル材を製造する必要がなく、低コストでパネルドアを製造できる。一枚のパネル材から木取りしたＳ字形片や横木目柄片は一枚のパネルドアの表裏両面の他、他のパネルドアにも使用でき、残材とならないので、パネル材を有効に利用できる。
【発明を実施するための最良の形態】
【０００７】
パネル材は縦長長方形の合板製基材の表面に縦木目柄を印刷した化粧シートを貼着して構成したものを用い、パネル材の縦中心線に沿って直線カットラインを形成してパネル材を長方形の縦長パネル片対に二分割する。同時に、一方の縦長パネル片に縦方向に走るＳ字形カットラインを形成し、かつ他方の縦長パネル片に縦方向に走る逆Ｓ字形カットラインを形成する。これにより一枚のパネル材から２枚の縦木目柄Ｓ字形片と２枚の縦木目柄逆Ｓ字形片を木取りする。また、パネル材にその横中心線に沿った直線カットラインを形成して該パネル材を長方形の横長パネル片対に二分割するとともに、各横長パネル片に一本の円弧形カットラインを形成する。これにより、凸湾曲辺を有する２枚の横木目柄片と凹湾曲辺を有する２枚の横木目柄片を木取りする。
そして、枠芯の表面に縦木目柄Ｓ字形片と２枚の横木目柄片を、Ｓ字片のＳ字形辺の上半分に凸湾曲辺を有する横木目柄片が隣接し、Ｓ字形辺の下半分に凹湾曲辺を有する横木目柄片が隣接するように張り付け、枠芯の裏面に縦木目柄逆Ｓ字形片と２枚の横木目柄片を、逆Ｓ字形片の逆Ｓ字形辺の上半分に凸湾曲辺を有する横木目柄片が隣接し、逆Ｓ字形辺の下半分に凹湾曲辺を有する横木目柄片が隣接するように張り付けてパネルドアを構成する。
【実施例１】
【０００８】
以下に本発明を図面に基づき説明するに、図１には本発明の一実施例に係るパネルドア１０の表面が、図２にはパネルドア１０の裏面が示されている。当該パネルドア１０の表面には一枚の縦木目柄Ｓ字片１１と２枚の横木目柄片１２，１３が張り付けられ、縦木目柄Ｓ字形片１１と両横木目柄片１２，１３との境界部分にプラスチック製のＳ字形目地枠１４が取り付けられている。また、各横木目柄片１２，１３の中心付近と両横木目柄片１２，１３の境界部分にプラスチック製の横目地枠１５が取り付けられている。パネルドア１０の裏面に一枚の縦木目柄逆Ｓ字形片１６と２枚の横木目柄片１７，１８、逆Ｓ字形目地枠１９と横目地枠１５が張り付けられている。
【０００９】
図３にパネルドア１０の枠芯２０を示す。枠芯２０は左右２本の縦枠材２１と上枠材２２及び下枠材２３を縦長長方形に組み付け、両縦枠材２１の間に３本の横枠材２４を取り付け、上下枠材２２，２３の間に４本の中間枠材２５を取り付け、中間枠材２５と右側の縦枠材２１の間に段ボール製の芯材２６をはめ込んで構成される。
【００１０】
パネルドア１０は枠芯２０の表面に縦木目柄Ｓ字片１１と２枚の横木目柄片１２，１３を、Ｓ字片１１のＳ字辺１１ａの上半分に左側凸湾曲辺１２ａを有する横木目柄片１２が隣接し、Ｓ字辺１１ａの下半分に左側凹湾曲辺１３ａを有する横木目柄片１３が隣接するように張り付ける。枠芯２０の裏面に縦木目柄逆Ｓ字形片１６と２枚の横木目柄片１７，１８を、逆Ｓ字形片１６の逆Ｓ字辺１６ａの上半分に右側凸湾曲辺１７ａを有する横木目柄片１７が隣接し、逆Ｓ字辺１６ａの下半分に右側凹湾曲辺１８ａを有する横木目柄片１８が隣接するように張り付けて構成される。枠芯２０の４本の中間枠材２２は縦木目柄Ｓ字形片１１のＳ字辺１１ａ部分及び縦木目柄逆Ｓ字形片１６の逆Ｓ字辺１６ａ部分を裏から支えることのできる幅を持った支持面を形成するため、隣接して取り付けられる。段ボール製の芯材２６は横木目柄片１２，１３，１７，１８がくぼまないように裏から支持するために取り付けられる。左側の縦枠材２１と中央部の横枠材２４の間には取っ手を形成するための木片が取り付けられる。
【００１１】
図４に拡大して図示するように、Ｓ字形目地枠１４及び逆Ｓ字形目地枠１９は溝形の断面形状を有する。横目地枠１５も同じ断面形状を有する。縦木目柄Ｓ字形片１１、縦木目柄逆Ｓ字形片１６、横木目柄片１２，１３１７，１８はいずれも合板製基材３１の表面に木目柄を印刷した化粧シート３２から構成される。
【００１２】
図５に、一枚のパネル材３０から２本の縦木目柄Ｓ字形片１１と２枚の縦木目柄逆Ｓ字形片１６を木取りする工程を示す。パネル材３０は縦長長方形の合板製基材３１の表面に縦木目柄を印刷した化粧シート３２を貼着して構成される。パネル材３０には縦寸法がほぼパネルドアの縦寸法に等しい２０００ｍｍ、横寸法がパネルドアの横寸法７００ｍｍに対し、それよりかなり大きめの１２００ｍｍサイズのものを使用する。このパネル材３０の縦中心線に沿って直線カットライン３０ａを形成してパネル材３０を長方形の縦長パネル片対に二分割する。同時に、一方の縦長パネル片に縦方向に走るＳ字形カットライン３０ｂを形成し、かつ他方の縦長パネル片に縦方向に走る逆Ｓ字形カットラインを３０ｃ形成する。Ｓ字形カットライン３０ｂと逆Ｓ字形カットライン３０ｃは直線カットライン３０ａに関して対称形状を有する。これにより一枚のパネル材３０から２枚の縦木目柄Ｓ字形片１１と２枚の縦木目柄逆Ｓ字形片１６を木取りする。
【００１３】
図６に、４枚の横木目柄片１２，１３，１７，１８を木取りする工程を示す。この工程では前記パネル材３０に比べ同幅で若干縦寸法が短いパネル材４０を使用し、その横中心線に沿った直線カットライン４０ａを形成して該パネル材４０を長方形の横長パネル片対に二分割するとともに、各横長パネル片に一本の円弧形カットライン４０ｂ，４０ｃを形成する。両円弧形カットライン４０ｂ，４０ｃは直線カットライン４０ａに関して対称形状を有する。これにより、凸湾曲辺１２ａ，１７ａを有する２枚の横木目柄片１２，１７と凹湾曲辺１３ａ，１８ａを有する２枚の横木目柄片１３，１８を木取りする。
【図面の簡単な説明】
【００１４】
【図１】本発明の一実施例に係るパネルドアの表面を示す正面図である。
【図２】同パネルドアの裏面を示す背面図ある。
【図３】同パネルドアの枠芯を示す正面図である。
【図４】図１の４−４線から切断した断面図である。
【図５】同ドアパネルの縦木目柄Ｓ字形片と逆Ｓ字形片の木取りを示す説明図である。
【図６】同ドアパネルの横木目柄片の木取りを示す説明図である。
【符号の説明】
【００１５】
１０…パネルドア、１１…縦木目Ｓ字形片、１１ａ…Ｓ字形片、１２，１３，１７，１８…横木目柄片、１２ａ，１７ａ…凸湾曲辺、１３ａ，１８ａ…凹湾曲辺、１６…縦木目逆Ｓ字形片、１６ａ…逆Ｓ字形辺。
【図１】
2006070602.tif 000003
【図２】
2006070602.tif 000004
【図３】
2006070602.tif 000005
【図４】
2006070602.tif 000006
【図５】
2006070602.tif 000007
【図６】
2006070602.tif 000008